【手続補正書】
【提出日】平成21年6月24日(2009.6.24)
【手続補正１】
【補正対象書類名】特許請求の範囲
【補正対象項目名】全文
【補正方法】変更
【補正の内容】
【特許請求の範囲】
【請求項１】
床面に立設した支柱と、高さ調整手段を介在して支柱の頭部に連結した支持部材とで構成し、高さ調整手段は、着用者の背部で帯の装着予定位置の下方の支持適正箇所に支持部材が臨むように、着物の着用者の身長に対応して支持部材の高さを移動調整自在とし、着用者が支持部材に寄りかかって安定した姿勢の状態で着付けや試着が行えるようにしたことを特徴とする着物の着付け装置。
【請求項２】
床面に載置した台板と、台板に立設した支柱と、高さ調整手段を介在して支柱の頭部に連結した支持部材とで構成し、高さ調整手段は、台板に載った着用者の背部で帯の装着予定位置の下方の支持適正箇所に支持部材が臨むように、着物の着用者の身長に対応して支持部材の高さを移動調整自在とし、着用者が支持部材に寄りかかって安定した姿勢の状態で着付けや試着が行えるようにしたことを特徴とする着物の着付け装置。
【請求項３】
支柱は、台板上で折りたたみ自在となるように折りたたみ手段を介在して台板上に連結し、折りたたんで運べるようにしたことを特徴とする請求項２に記載の着物の着付け装置。
【請求項４】
着物の着用者がその背部を支持部材に支えられた状態で着付けや試着ができる着付け装置であり、支持部材は着用者の帯の装着予定位置の下方の支持適正箇所を支持できるように、着用者の身長に対応してその高さを調整する高さ調整手段を備えた着付け装置を用い、着用者の着物の着丈を決めて裾位置が変わらないようにするステップ、着用者の背部を支持部材に対向させるステップ、着用者の身長に対応して高さ調整手段を操作し、支持部材を着用者の帯の装着予定位置の下方で支持適正高さに調整するステップ、着用者を支持部材に寄りかからせるステップ、着用者が支持部材に支えられたままの安定した姿勢の状態で、着付けを完成するステップ、着用者を支持部材への寄りかかり状態から解除させるステップ、を含むことを特徴とする着物の着付け方法。
【請求項５】
着物の着用者がその背部を支持部材に支えられた状態で着付けや試着ができる着付け装置であり、支持部材は着用者の帯の装着予定位置の下方の支持適正箇所を支持できるように、着用者の身長に対応してその高さを調整する高さ調整手段を備えた着付け装置を用い、着用者を台板に載せるステップ、着用者の着物の着丈を決めて裾位置が変わらないようするステップ、着用者の背部を支持部材に対向させるステップ、着用者の身長に対応して高さ調整手段を操作し、支持部材を着用者の帯の装着予定位置の下方で支持適正高さに調整するステップ、着用者を支持部材に寄りかからせるステップ、着用者が支持部材に支えられたままの安定した姿勢の状態で、着付けを完成するステップ、着用者を支持部材への寄りかかり状態から解除させるステップ、を含むことを特徴とする着物の着付け方法。
【請求項６】
第１の高さ調整手段を備えたフレームと、フレームの上方に設けられ、第１の高さ調整手段に連結した台板と、台板の上方に立設され第２の高さ調整手段を備えた支柱と、第２の高さ調整手段を介在して支柱の頭部に連結した支持部材とで構成され、着物の着用者の身長に対応して着付けおよび試着作業がし易いように、第１の高さ調整手段を操作して台板の高さを調整し、台板に載った着用者の身長に対応して第２の高さ調整手段を操作し、着用者の背部で帯の装着予定位置の下方の支持適正箇所に支持部材を臨ませ、着用者を支持部材に寄りかからせた状態で着付け作業を行うようにしたことを特徴とする着物の着付け装置。
【請求項７】
着物の着用者が台板に載って、その背後を支持部材に支えられた状態で着付けが行われる着付け装置であり、台板は着用者の身長に対応してその高さを調整する第１の高さ調整手段を備え、支持部材は着用者の帯の装着予定位置の下方の支持適正箇所を支持するように、着用者の身長に対応してその高さを調整する第２の高さ調整手段を備えた着付け装置を用い、着用者を台板に載せるステップ、着用者の身長に対応して、第１の高さ調整手段を操作して台板の高さを着付けのし易い高さに調整するステップ、着用者の身長に対応して第２の高さ調整手段を操作し、支持部材を着用者の帯の装着予定位置の下方で支持適正高さに調整するステップ、着用者を支持部材に寄りかからせるステップ、着用者が支持部材に支えられたままの状態で、着付けを完成するステップ、第１の高さ調整手段を操作して台板を下死点位置に下げるステップ、着用者を台板から降ろさせるステップ、を含むことを特徴する着物の着付け方法。
【手続補正２】
【補正対象書類名】明細書
【補正対象項目名】００１３
【補正方法】変更
【補正の内容】
【００１３】着物の着付けの各工程を考察すると、前述の従来の着付け手法で示した（３）着物の着用の（ヘ）の着丈を確認して、おはしょり（胴部で折り返した部分）の内側を腰紐で縛る工程を完了すると、下半身部の上前、下前の合わせ位置や裾の長さが決まり（着丈が決まると）、着用者が多少動いても裾の位置（着物の腰から下）はズレたり動いたりしないようになることがわかった。
【手続補正３】
【補正対象書類名】明細書
【補正対象項目名】００１４
【補正方法】変更
【補正の内容】
【００１４】従って、この着丈を決めた工程より以降の工程では着用者が立ったままの姿勢で、背部の着付けの邪魔にならない箇所を支持部材に寄りかかられるようにすれば、従来の問題点が解決できる。
【手続補正４】
【補正対象書類名】明細書
【補正対象項目名】００１５
【補正方法】変更
【補正の内容】
【００１５】この発明の（１）の解決手段は、床面に立設した支柱と、高さ調整手段を介在して支柱の頭部に連結した支持部材とで構成し、高さ調整手段は、着用者の背部で帯の装着予定位置の下方の支持適正箇所に支持部材が臨むように、着物の着用者の身長に対応して支持部材の高さを移動調整自在とし、着用者が支持部材に寄りかかって安定した姿勢の状態で着付けや試着が行えるようにしたことを特徴とする着物の着付け装置を提供したものである。
【手続補正５】
【補正対象書類名】明細書
【補正対象項目名】００１６
【補正方法】変更
【補正の内容】
【００１６】（２）の解決手段は、床面に載置した台板と、台板に立設した支柱と、高さ調整手段を介在して支柱の頭部に連結した支持部材とで構成し、高さ調整手段は、台板に載った着用者の背部で帯の装着予定位置の下方の支持適正箇所に支持部材が臨むように、着物の着用者の身長に対応して支持部材の高さを移動調整自在とし、着用者が支持部材に寄りかかって安定した姿勢の状態で着付けや試着が行えるようにしたことを特徴とする着物の着付け装置を提供したものである。
【手続補正６】
【補正対象書類名】明細書
【補正対象項目名】００１７
【補正方法】変更
【補正の内容】
【００１７】（３）の解決手段は、上記（２）の支柱は台板上で折りたたみ自在となるように折りたたみ手段を介在して台板上に連結し、折りたたんで運べるようにしたことを特徴とする請求項２に記載の着物の着付け装置を提供したものである。
【手続補正７】
【補正対象書類名】明細書
【補正対象項目名】００１８
【補正方法】変更
【補正の内容】
【００１８】（４）の解決手段は、上記の（１）の着物の着付け装置を用いて、着物の着用者がその背部を支持部材に支えられた状態で着付けや試着ができる着付け装置であり、支持部材は着用者の帯の装着予定位置の下方の支持適正箇所を支持できるように、着用者の身長に対応してその高さを調整する高さ調整手段を備えた着付け装置を用い、着用者の着物の着丈を決めて裾位置が変わらないようにするステップ、着用者の背部を支持部材に対向させるステップ、着用者の身長に対応して高さ調整手段を操作し、支持部材を着用者の帯の装着予定位置の下方で支持適正高さに調整するステップ、着用者を支持部材に寄りかからせるステップ、着用者が支持部材に支えられたままの安定した姿勢の状態で、着付けを完成するステップ、着用者を支持部材への寄りかかり状態から解除させるステップ、を含むことを特徴とする着物の着付け方法を提供したものである。
【手続補正８】
【補正対象書類名】明細書
【補正対象項目名】００１９
【補正方法】変更
【補正の内容】
【００１９】（５）の解決手段は、上記の（２）と（３）の着物の着付け装置を用いて、着物の着用者がその背部を支持部材に支えられた状態で着付けや試着ができる着付け装置であり、支持部材は着用者の帯の装着予定位置の下方の支持適正箇所を支持できるように、着用者の身長に対応してその高さを調整する高さ調整手段を備えた着付け装置を用い、着用者を台板に載せるステップ、着用者の着物の着丈を決めて裾位置が変わらないようするステップ、着用者の背部を支持部材に対向させるステップ、着用者の身長に対応して高さ調整手段を操作し、支持部材を着用者の帯の裝着予定位置の下方で支持適正高さに調整するステップ、着用者を支持部材に寄りかからせるステップ、着用者が支持部材に支えられたままの安定した姿勢の状態で、着付けを完成するステップ、着用者を支持部材への寄りかかり状態から解除させるステップ、を含むことを特徴とする着物の着付け方法を提供したものである。
【手続補正９】
【補正対象書類名】明細書
【補正対象項目名】００２０
【補正方法】変更
【補正の内容】
【００２０】（６）の解決手段は、第１の高さ調整手段を備えたフレームと、フレームの上方に設けられ、第１の高さ調整手段に連結した台板と、台板の上方に立設され第２の高さ調整手段を備えた支柱と、第２の高さ調整手段を介在して支柱の頭部に連結した支持部材とで構成され、着物の着用者の身長に対応して着付けおよび試着作業がし易いように、第１の高さ調整手段を操作して台板の高さを調整し、台板に載った着用者の身長に対応して第２の高さ調整手段を操作し、着用者の背部で帯の装着予定位置の下方の支持適正箇所に支持部材を臨ませ、着用者を支持部材に寄りかからせた状態で着付け作業を行うようにしたことを特徴とする着物の着付け装置を提供したものである。
【手続補正１０】
【補正対象書類名】明細書
【補正対象項目名】００２１
【補正方法】変更
【補正の内容】
【００２１】（７）の解決手段は、上記（６）の着物着付け装置を用いて、着物の着用者が台板に載って、その背後を支持部材に支えられた状態で着付けが行われる着付け装置であり、台板は着用者の身長に対応してその高さを調整する第１の高さ調整手段を備え、支持部材は着用者の帯の装着予定位置の下方の支持適正箇所を支持するように、着用者の身長に対応してその高さを調整する第２の高さ調整手段を備えた着付け装置を用い、着用者を台板に載せるステップ、着用者の身長に対応して、第１の高さ調整手段を操作して台板の高さを着付けのし易い高さに調整するステップ、着用者の身長に対応して第２の高さ調整手段を操作し、支持部材を着用者の帯の装着予定位置の下方で支持適正高さに調整するステップ、着用者を支持部材に寄りかからせるステップ、着用者が支持部材に支えられたままの状態で、着付けを完成するステップ、第１の高さ調整手段を操作して台板を下死点位置に下げるステップ、着用者を台板から降ろさせるステップ、を含むことを特徴する着物の着付け方法を提供したものである。
【手続補正１１】
【補正対象書類名】明細書
【補正対象項目名】００２２
【補正方法】変更
【補正の内容】
【００２２】上記の（１）（２）（３）（４）（５）（６）（７）の課題解決手段による作用は次の通りである。すなわち、支持部材は高さ調整手段でその高さを調整できるので、着用者の背丈に対応して高さ調整をおこない、着付けや試着の作業の邪魔にならない箇所で、着用者の最も楽な位置で着用者を支持できる。
【手続補正１２】
【補正対象書類名】明細書
【補正対象項目名】００２３
【補正方法】変更
【補正の内容】
【００２３】（２）（３）（５）（６）（７）の解決手段による作用は次の通りである。すなわち、着用者の体重が台板にかかっいるので着用者が支持部材に寄りかかっても台板が転倒することはない。また（２）（３）（５）では、台板は床面と余り変わらない高さとしているので、台板の縁が着付け作業の邪魔になることはない。
【手続補正１３】
【補正対象書類名】明細書
【補正対象項目名】００２４
【補正方法】変更
【補正の内容】
【００２４】（３）の解決手段による作用は次の通りである。すなわち、支柱は台板上に折りたたむことができる。
【手続補正１４】
【補正対象書類名】明細書
【補正対象項目名】００２５
【補正方法】変更
【補正の内容】
【００２５】（６）（７）の解決手段による作用は次の通りである。すなわち、台板は第１の高さ調整手段で高さを調整できるので、着用者の背丈に対応して着用者の高さ（特に帯の装着予定箇所）を調整すれば、作業者が無理な姿勢をしなくとも着付けや試着が行われる。